(57)【要約】【課題】本発明は、端子部の中心位置にスロットを対応させることにより各端子に対する端線の長さを均一化し、引回しを容易化することを目的とする。【解決手段】本発明による回転検出器のステータ構造は、端子部（７）の中心位置（ｗ１）にスロット（６）を対応させることにより、ステータコイル（５）の各端線（５ａ）の長さを均一化し、端子（７ａ）への引回しを容易化する構成である。【選択図】　　　　図１
2004023977.tif 000002
【特許請求の範囲】
【請求項１】
レゾルバステータ（１）の各スロット（６）間に位置する磁極歯（２）に、インサート成形により形成されるか又は前記レゾルバステータ（１）とは別体として形成された輪状絶縁キャップ（３，４）を介してステータコイル（５）を巻回し、前記輪状絶縁キャップ（３）の周縁に形成された端子部（７）の端子（７ａ）に前記ステータコイル（５）の端線（５ａ）を巻付けて接続するようにした回転検出器のステータ構造において、
前記端子部（７）の幅方向（ｗ）の中心位置（ｗ１）に前記スロット（６）を対応させて配置したことを特徴とする回転検出器のステータ構造。
【請求項２】
前記端子部（７）の中心位置（ｗ１）と前記スロット（６）の幅方向の中心であるスロット中心（６ａ）とが一致していることを特徴とする請求項１記載の回転検出器のステータ構造。
【発明の詳細な説明】
【０００１】
【発明の属する技術分野】
本発明は、回転検出器のステータ構造に関し、特に、端子部の中心位置にスロットを対応させて配置することにより、各端子に接続されるステータコイルの各端線の引出し長さをほぼ均等として、巻線及び巻き付け（からげ）工程でのステータコイルの引回しを容易化して信頼性の向上を得ることを目的とする。
【０００２】
【従来の技術】
従来、用いられていたこの種の回転検出器のステータ構造としては、例えば、図３及び図４で示される構成が採用されていた。
すなわち、図３及び図４において符号１で示されるものは輪状に形成され積層型のレゾルバステータであり、このレゾルバステータ１の内側には内方へ向けて突出する複数の磁極歯２が所定角度間隔ごとに形成されている。
【０００３】
前記レゾルバステータ１の両面には、全体形状が輪状をなし各磁極歯２に沿って突出する形状を有する第１、第２輪状絶縁キャップ３、４が設けられ、この各輪状絶縁キャップ３、４を介してステータコイル５が各磁極歯２に巻回されて各磁極歯２間のスロット６内に設けられている。
前記ステータコイル５は、前記磁極歯２に対して各輪状絶縁キャップ３、４により、絶縁された状態で巻き付けられている。
【０００４】
前記各輪状絶縁キャップ３、４の中、第１輪状絶縁キャップ３の周縁の一部に半径方向に沿って突出した端子部７には複数の端子８が外部に露出した状態でインサート成形によって埋設されており、この端子部７の外方位置にはこれと一体にコネクタピン９を有するコネクタ部８が形成されている。
【０００５】
前記端子部７の幅方向ｗの中心位置ｗ１には前記レゾルバステータ１の１個の磁極歯２の磁極歯中心２ａが一致している。
前記端子部７に設けられた６個の各端子８には、前記ステータコイル５の端線５ａが接続されている。各端線５ａは、記号ＡからＦで示されるようにステータコイル５と各端子８との間を接続する状態で配線されている。
【０００６】
【発明が解決しようとする課題】
従来の回転検出器のステータ構造は、以上のように構成されていたため、次のような課題が存在していた。
すなわち、各磁極歯２のステータコイル５と各端子８との間の端線５ａの接続状態は、記号ＡからＦで示されるように、端子部７の中心位置ｗ１とその両側の磁極歯２から引き出されているため、各端線５ａの長さが長短何れも存在し、不均一となり、端線５ａの端子８への引回しが長くなって作業性が低下していた。
【０００７】
本発明は、以上のような課題を解決するためになされたもので、特に、端子部の中心位置にスロットを対応させて配置することにより、各端子に接続されるステータコイルの各端線の引出し長さをほぼ均一として、巻線及び巻付け（からげ）工程でのステータコイルの引回しを容易化して信頼性の向上を得るようにした回転検出器のステータ構造を提供することを目的とする。
【０００８】
【課題を解決するための手段】
本発明による回転検出器のステータ構造は、レゾルバステータの各スロット間に位置する磁極歯に、インサート成形により形成されるか又は前記レゾルバステータとは別体として形成された輪状絶縁キャップを介してステータコイルを巻回し、前記輪状絶縁キャップの周縁に形成された端子部の端子に前記ステータコイルの端線を巻付けて接続するようにした回転検出器のステータ構造において、前記端子部の幅方向の中心位置に前記スロットを対応させて配置した構成であり、また、前記端子部の中心位置と前記スロットの幅方向の中心であるスロット中心とが一致している構成である。
【０００９】
【発明の実施の形態】
以下、図面と共に本発明による回転検出器のステータ構造の好適な実施の形態について説明する。尚、従来例と同一又は同等部分には同一符号を付して説明する。
図１及び図２において符号１で示されるものは輪状に形成され積層型のレゾルバステータであり、このレゾルバステータ１の内側には内方へ向けて突出する複数の磁極歯２が所定角度間隔ごとに形成されている。
【００１０】
前記レゾルバステータ１の両面には、全体形状が輪状をなし各磁極歯２に沿って突出する形状を有する第１、第２輪状絶縁キャップ３、４が設けられ、この各輪状絶縁キャップ３、４を介してステータコイル５が各磁極歯２に巻回されて各磁極歯２間のスロット６内に設けられている。
前記ステータコイル５は、前記磁極歯２に対して各輪状絶縁キャップ３、４により、絶縁された状態で巻き付けられている。
尚、前記第１、第２輪状絶縁キャップ３、４は、前述の形態ではレゾルバステータ１とは別体として射出成形された構成をレゾルバステータ１の両面に設けた場合について述べているが、レゾルバステータ１に対して各輪状絶縁キャップ３、４を一体にインサート成形によって形成することもできる。また、このレゾルバステータ１の内側には、例えば、可変リラクタンス型レゾルバの場合には、巻線を有しない型の非真円形状の周知のロータ（図示せず）を用いる。
【００１１】
前記各輪状絶縁キャップ３、４の中、第１輪状絶縁キャップ３の周縁の一部に半径方向に沿って突出した端子部７には複数の端子８が外部に露出した状態でインサート成形によって埋設されており、この端子部７の外方位置にはこれと一体にコネクタピン９を有するコネクタ部８が形成されている。
【００１２】
前記端子部７の幅方向ｗの中心位置ｗ１には、前記各磁極歯２間のスロット６が対応し、このスロット６の幅方向の中心であるスロット中心６ａが前記幅方向ｗの中心位置ｗ１と一致している。
尚、前記スロット中心６ａと中心位置ｗ１とは一致していない場合も用いることができる。
【００１３】
前記端子部７に設けられた６個の各端子８には、前記ステータコイル５の端線５ａが接続されている。各端線５ａは、記号ＡからＦで示されるように、スロット６の両側に位置する磁極歯２からの端線５ａが各端子７ａに巻付け（からげ）によって接続されている。
前記各端線５ａの長さすなわち引回し長さは、記号ＡからＦで示されるように、図３の従来構成とは異なってほぼ均一に形成され、各端子７ａにからげる場合の各端線５ａの引回し作業が大幅に容易化される。
【００１４】
【発明の効果】
本発明による回転検出器のステータ構造は、以上のように構成されているため、次のような効果を得ることができる。
すなわち、端子部の中心位置にスロットが対応した状態でレゾルバステータと端子部との位置関係が構成されているため、各磁極歯からのステータコイルの端線の引回し長さがほぼ均一となり、端子へのからげの作業性が向上し、各端線のストレスも均等になって断線等に対する信頼性を向上させることができる。
【図面の簡単な説明】
【図１】本発明による回転検出器のステータ構造を示す平面図である。
【図２】図１の縦断面図である。
【図３】従来構成を示す平面図である。
【図４】図３の従断面図である。
【符号の説明】
１　　レゾルバステータ
２　　磁極歯
３、４　　第１、第２輪状絶縁キャップ
５　　ステータコイル
５ａ　　端線
６　　スロット
６ａ　　スロット中心
ｗ１　　中心位置
７　　端子部
ｗ　　幅方向
【図１】
2004023977.tif 000003
【図２】
2004023977.tif 000004
【図３】
2004023977.tif 000005
【図４】
2004023977.tif 000006